(57)【要約】本発明は、支持層（２１）と、片側で粘着性のある印刷可能な少なくとも１つの層（２２）とを備え、後者の層は、粘着性のある面（２３）が付着するように支持層（２１）の載置面（２６）に載り、載置面（２６）から再び剥離可能であり、少なくとも１つの印刷可能な面（２５）を有している、プリンタの印刷機構（１０）のための多層の印刷材料（２０）に関するものであり、支持層（２１）に少なくとも１つの分離個所（２４）が設けられており、この分離個所は、印刷材料（２０）が印刷機構（１０）を通過するときに、隣接する層（２２）に対して相対的に異なる支持層（２１）の縦方向長さによって引き起こされる長さの差異をほぼ補正するように構成されている。さらに本発明は、この印刷材料の利用法も対象としている。
2004517369.tif 000002
【特許請求の範囲】
【請求項１】
支持層（２１）と、片側で粘着性のある印刷可能な少なくとも１つの層（２２）とを備え、後者の層は、粘着性のある面（２３）が付着するように支持層（２１）の載置面（２６）に載り、載置面（２６）から再び剥離可能であり、少なくとも１つの印刷可能な面（２５）を有している、プリンタの印刷機構（１０）のための多層の印刷材料（２０）において、
支持層（２１）に少なくとも１つの分離個所（２４）が設けられており、この分離個所は、印刷材料（２０）が印刷機構（１０）を通過するときに、隣接する層（２２）に対して相対的に異なる支持層（２１）の縦方向長さによって引き起こされる長さの差異をほぼ補正するように構成されていることを特徴とする、印刷材料。
【請求項２】
分離個所（２４）が規則的な相互間隔（ｘ）で支持層（２１）に配置されていることを特徴とする、請求項１に記載の印刷材料。
【請求項３】
分離個所（２４）が少なくとも部分的に、刻み目のある領域（２４４）および／または切り離された領域（２４２）および／または打ち抜かれた領域（２４１）および／またはミシン目のある領域（２４３）として支持層（２１）に構成されていることを特徴とする、前記請求項のうちいずれか１項に記載の印刷材料。
【請求項４】
少なくとも１つの別の分離個所が印刷可能な層（２２）に設けられていることを特徴とする、前記請求項のうちいずれか１項に記載の印刷材料。
【請求項５】
印刷可能な層（２２）が片側で接着するように構成されていることを特徴とする、前記請求項のうちいずれか１項に記載の印刷材料。
【請求項６】
印刷可能な層（２２）の粘着性のある面（２３）が粘着性素材（２７）で部分的に被覆されていることを特徴とする、前記請求項のうちいずれか１項に記載の印刷材料。
【請求項７】
支持層（２１）に塗布された粘着性素材（２７）が、支持層（２１）から、および／または印刷可能な層（２２）で接着されるべき貨物から、残留物なしに剥離可能であるように構成されていることを特徴とする、請求項６に記載の印刷材料。
【請求項８】
印刷材料（２０）がエンドレス材料として構成され、特にエンドレスペーパーとして構成されていることを特徴とする、前記請求項のうちいずれか１項に記載の印刷材料。
【請求項９】
印刷可能な層（２２）として感熱フィルムが設けられていることを特徴とする、前記請求項のうちいずれか１項に記載の印刷材料。
【請求項１０】
支持層（２１）として紙および／または板紙および／またはその他の感熱フィルムが設けられていることを特徴とする、前記請求項のうちいずれか１項に記載の印刷材料。
【請求項１１】
前記請求項のうちいずれか１項に記載の印刷材料（２０）の利用法において、印刷材料（２０）を送る少なくとも１つの送りロール（１２，１３，１４）を含む印刷機構（１０）と、印刷可能な面（２５）を印刷するための少なくとも１つの印刷ヘッド（１５）とを有するプリンタ、特に感熱プリンタで用いる利用法。
【発明の詳細な説明】
【０００１】
本発明は、請求項１の上位概念に記載されている種類の多層の印刷材料に関するものである。それによれば、支持層と、片側で粘着性のある印刷可能な少なくとも１つの層とを備える印刷材料が意図されており、後者の層は、粘着性のある面が付着するように支持層の載置面に載り、載置面から再び剥離可能であり、少なくとも１つの印刷可能な面を有している。さらに本発明は、印刷材料の利用法も対象とする。
【０００２】
輸送されるべき商品では、即座にラベル貼りをする必要がある場合が多い。たとえば食料品産業では、たとえば冷凍品などの食料品の輸送が電子機器によって監視、制御される。このようなラベルには、典型的な場合、輸送に必要なデータないし商品を表示するデータが記入される。そのために、この目的のために専用に設けられた測定データ記憶装置が設置されており、その記憶装置から相応のデータがその場で読み出され、それぞれのラベルにプリントアウトされる。次いで、このラベルは適正な輸送ないし商品の状態について証明するために、商品に直接貼付され、ないしは、このような商品を入れるコンテナに貼付される。
【０００３】
そのためには、原則として次の２通りの異なるラベル貼りメカニズムがある：
ラベル貼りの目的に用いられるエンドレスペーパーが粘着性でなく、その理由から、接着フィルム、接着剤等の補助がなければ輸送貨物に貼付することができない。しかしこのような種類の方法は、取付手段が追加的に必要となるためにきわめて高いコストがかかり、そのうえ自動化するのが非常に困難であり、このことが顕著な付加費用につながってしまう。
【０００４】
さらに、支持フィルムと、その上に付着する印刷用紙とで構成された粘着性のあるエンドレスペーパーを利用することもできる。印刷用紙は接着フィルムを有しており、したがって何も加えることなく、輸送されるべき貨物に直接貼付することができる。この場合、利用者にとっての作業が著しく軽減されるので、この形態のラベル貼りは前者の方式に比べて、特にコスト面の理由からも有利である。
【０００５】
このような粘着性のエンドレスペーパーのプリントには、多くの場合、紙、板紙、フィルム等を印刷するのに適した感熱プリンタが用いられる。感熱プリンタの印刷機構は、通常、１つまたは複数の感熱プリンタヘッドを有しており、この感熱プリンタヘッドが、印刷機構を通って通過するエンドレスペーパーを印刷するために、そのつど押えローラと協働する。
【０００６】
しかしながら、感熱プリンタによる粘着性のエンドレスペーパーの印刷は、次のような実用面、技術面での欠点がいくつかある：
第１に、粘着性のエンドレスペーパーは通常用いられるプリンタの印刷機構に挿入することができず、むしろ、専用の特殊型がプリンタにしか適していない。このような特殊型プリンタでは、多くの場合、そのプリンタと同じメーカーが販売する１種類の用紙しか使用可能でないことが多い。このような用紙は当然ながら、広く普及している粘着性のエンドレスペーパーに比べてはるかに高価である。しかも、エンドレスペーパーを時間コストをかけて印刷機構に送り込まなくてはならないので、特殊プリンタの印刷機構の取扱が非常に面倒である。ところが、測定データ記憶装置と通信することができ、測定データをプリントアウトする目的で、粘着性のエンドレスペーパーを印刷、搬送するこのような特殊印刷機構が内蔵されているプリンタは、市場で入手できるものが比較的少ないために、利用者はいわば強制的にこのようなプリンタを使用すると同時に、これに付属する高価な用紙を使用せざるを得ない。
【０００７】
しかし、このようなプリンタに使用される粘着性があり印刷可能なエンドレスペーパーは、以下に図６を参照して説明するように、非常に重大な欠点を有している：
実用に供されている粘着性のエンドレスペーパー２０は、典型的な場合、ロールに巻き付けられており、２つの層２１、２２でできている。第１の層２１は支持フィルムであり、第２の層２２は粘着性の感熱紙である。粘着性の感熱紙２２の裏面２３に一方の面２６で付着している支持紙２１は、感熱紙２２の接着層２７を保護する役目を果たす。エンドレスペーパー２０がロールに巻き付けられており、したがって両方の層のうち内側の層（典型的には支持フィルム）は、その上に載る外側の層よりも常に小さい直径を有していることによって、内側の層は、巻かれている状態のとき、外側の層よりも短くなっている。
【０００８】
このようなエンドレスペーパー２０が、感熱プリンタの従来式の印刷機構１０に挿入されると、押えロールおよび送りロール１２−１４のそのつどの圧着と関連するエンドレスペーパー２０の方向転換に起因して、両方の層２１，２２の縮充が起こり、そのために感熱紙２２が支持フィルム２１から剥がれる。両方の層２１、２２が一時的に互いに剥がれることによって、印刷機構１０を通過した後に直線に移行する際、当初は巻かれていた紙の長さ補正が行われる。印刷機構ロール１２−１４には、それぞれ同じ長さの支持紙２１と感熱フィルム２２が通るので、このような感熱フィルムの長さの余剰分は印刷機構ロール１３，１４の手前で蓄積され、印刷工程が増えるにつれて次第に大きくなっていく。感熱フィルム２２の長さの余剰分が大きくなりすぎると、印刷機構１０がエンドレスペーパー２０をもはや適切に搬送できなくなる。このような搬送障害の結果として、多くの場合、読み取ることができない欠陥印刷が生じる。そのために、輸送貨物に適正なラベル貼りをすることができなくなる。このことは、ラベル貼りをされるべき輸送貨物にこうした欠陥印刷が貼付され、そのことに気づかなかった場合、もしくは非常に後になって気づいた場合、非常に重大な影響を及ぼす。このような場合、必要なデータの欠如により、商品を輸送できなくなる場合が大半である。しかも、たとえば賞味期限の日付など、その輸送貨物に必要なデータを後から証明することはもはや不可能となる。
【０００９】
ラベルの欠陥印刷によって引き起こされるこのような障害は、当然ながら回避する必要がある。
したがって本発明の課題は、欠陥印刷がほぼ防止されるような、印刷可能な粘着性のエンドレスペーパーを提供することである。さらにこのエンドレスペーパーは、専用の特殊プリンタに限定されていないのが望ましい。
【００１０】
本発明によればこの課題は、請求項１の構成要件を備える多層の印刷材料によって解決され、ならびに、請求項１１に記載の感熱プリンタにおける多層印刷材料の利用法によって解決される。
【００１１】
それによれば、支持層に少なくとも１つの分離個所が設けられており、この分離個所は、印刷材料が印刷機構を通過するときに、隣接する層に対して相対的に異なる支持層の縦方向長さによって引き起こされる長さの差異をほぼ補正するように構成されていることを特徴とする、当分野に属する印刷材料が意図される。
【００１２】
エンドレスペーパーの分離個所が通過するときに、支持層と印刷可能な層との間でほぼ完全な長さ補正が行われる。本発明に基づき、支持層に設けられた少なくとも１つの分離個所を準備しておくことで、印刷機構ロールないし印刷ヘッドの手前で用紙の余剰分がせき止められないことを保証することができる。したがって、エンドレスペーパーは妨げられることなく印刷機構を通過することができる。このようにして、非常に有利な仕方で、かつ消費者にとって非常に低コストかつ魅力的なやり方で、そのために設計された多くの種類のプリンタで利用可能な多層のエンドレスペーパーを提供することができる。
【００１３】
長さ補正のために設けられる分離個所は、規則的な間隔で支持層に配置されるのが好ましい。分離個所は、それによって支持層が刻み目、切り離し、打抜き、またはその他のやり方でミシン目を付けられるように構成される。有利な実施形態では、印刷可能な層も、刻み目、切り離し、打抜き、またはミシン目のある少なくとも１つの分離個所を有することが考えられる。このようにして、支持層によって引き起こされる長さ補正を調整することもできる。さらに、粘着性のある印刷可能な層と、支持層とがいずれも分離個所を有することも考えられよう。
【００１４】
典型的な場合、印刷可能な層は片側で接着するように構成されており、それにより、粘着性のある面が支持層の上に付着するように載り、このとき支持層は粘着性のある面を保護する役目をする。印刷可能な層の粘着性のある面は、非常に有利な実施形態では、部分的にのみ粘着性素材で被覆される。粘着性素材の全面的な塗布方法とは異なり、この実施形態は、少ない分量の接着素材しか必要ないという利点があり、このことは、製造プロセスおよびこれに伴うエンドレスペーパーに著しく有利に働き、粘着性のある印刷可能な層を後で輸送貨物から剥がすのが容易になる。典型的な場合、印刷可能な層に塗布される粘着性素材は、残留物なしに支持層から剥がすことが可能なように構成される。さらに、印刷可能な層が、輸送されるべき貨物に貼付された後、再びできるだけ残留物なしに貨物から剥がすことが可能であると、格別に有利である。
【００１５】
多層の印刷材料は、エンドレス材料として構成され、特にエンドレスペーパーとして構成されるのが好ましい。このようなエンドレス材料ないしエンドレスペーパーとは、そのために専用に設けられたロールに巻き付けられ、したがって長さに関してページフォーマットに限定されていない長い材料を意味しており、この材料は当然ながら有限の長さを有しているが、理論的には、無限の長さを有することもできるはずである。本発明による多層のエンドレスペーパーは、典型的な場合、エンドレス支持層と、少なくとも１つのエンドレス印刷層とを有しているが、これらの層は必ずしも一貫してエンドレスに延びている必要はない。特にエンドレス支持層は、前述した分離個所によって完全に切り離されていてよい。ここで重要なのは、分離個所によって多数の個々の支持層に区分されていてよいこのエンドレス支持層が、エンドレスペーパーの上で１つの連続する形成物となることである。同様のことはエンドレス印刷層についても当てはまる。
【００１６】
典型的な実施形態では、支持層は紙、板紙などでできており、あるいは同様に感熱フィルムでできている。印刷可能な層は、典型的な場合、感熱フィルムでできている。しかしながら、印刷可能な層および支持層は上に挙げた材料に限定されるものではなく、印刷可能な任意の材料に拡張することができる。
【００１７】
非常に有利な実施形態では、印刷材料はただ１つの支持層と２つの印刷可能な層とで構成される。両方の印刷可能な層は、それぞれ粘着性のある裏面が、支持層のそれぞれの載置面の上に付着する。このようにして、両面で印刷可能な粘着性のある印刷材料が提供される。
【００１８】
本発明の有利な実施形態では、プリンタは感熱プリンタとして構成される。印刷材料は、感熱プリンタの特殊な型式のプリンタに限定されるものではなく、市販の任意の感熱プリンタを使用することができる。さらに本発明は、感熱プリンタで使用するためのエンドレスペーパーだけに限定されるものではなく、本発明の枠内で、本発明によるエンドレスペーパーを印刷するのに適したあらゆるプリンタに拡張することができる。
【００１９】
本発明のその他の有利な実施形態や発展例は、従属請求項、および図面を参照した説明から明らかである。
【００２０】
次に、図面の各図に示されている実施例を参照しながら、本発明について詳しく説明する。
図面のどの図中でも、同一の部材または機能が同じ部材には、別段の断りがない限り、同一の符号が付されている。さらに図面のどの図中でも、特にエンドレスペーパーの各々の層厚を図示するにあたっては、本発明の原理をより良く図示できるようにするために、それぞれの寸法を部分的に著しく拡大して図示している。
【００２１】
図１は、本発明によるエンドレスペーパーが通過している印刷機構の一部を示している。図１では印刷機構が符号１０、エンドレスペーパーが符号２０をそれぞれ付されている。印刷機構１０はガイドフレーム１１と方向転換ロール１２を有している。さらに、２つの押えロール１３，１４と印刷ヘッド１５が設けられている。ローラ１２，１３，１４は、エンドレスペーパー２０の送りを保証する。
【００２２】
エンドレスペーパー２０は２層で構成されており、支持フィルム２１を有しており、その載置面２６の上に、印刷用紙２２が粘着性のある面２３で付着している。支持フィルム２１と印刷用紙２２の間には粘着性素材２７が設けられている。さらに印刷用紙２２は、複数の分離個所２４を有している。分離個所２４の厳密な構成については、後で図２から図５を参照して詳しく説明する。
【００２３】
エンドレスペーパー２０は送り方向３０へ印刷機構１０に挿入される。ガイドフレーム１１および方向転換ロール１２によってエンドレスペーパー２０は、本例では９０°の角度で方向転換させられる。さらに進行したエンドレスペーパー２０は、押えロール１３，１４に挿入され、次いで印刷ヘッド１５を通過する。印刷ヘッド１５は、印刷用紙２２の印刷可能な面２５を印刷できるように配置されている。
【００２４】
分離個所２４は、図１では、支持フィルム２１の打ち抜かれた領域として図示されている。方向転換ロール１２によって、印刷用紙２２と支持フィルム２１が縮充する。それによって生じる印刷用紙２２の長さ余剰分は、分離個所２４を通じて補正される。たとえば方向転換ロール１２よりも空間的に前に配置された分離個所２４は間隔ｄｖｏｒを有している。縮充後にはこの間隔が広がるので、方向転換ロール１２の通過後には間隔ｄｎａｃｈが生じることになり、このとき、
ｄｎａｃｈ≧ｄｖｏｒである。
【００２５】
図２は、本発明によるエンドレスペーパー２０の第１実施形態を示している。ここでは分離個所２４は、貫通して打ち抜かれた領域２４１として設けられている。分離個所２４は、ここでは規則的な相互間隔ｘで配置されている。エンドレスペーパー２０が印刷機構１０を通過するとき、支持フィルム２１の隣接する層２１１，２１２を横方向４０で引き伸ばしたり、押し縮めたりすることができる（図２ｂ）。
【００２６】
図３は、支持フィルム２１が領域２４２で裁断されている、本発明によるエンドレスペーパー２０の第２実施形態を示している。この場合、印刷機構１０を通過するときに、支持フィルム２１のそれぞれ隣接する層２１１，２１２を押し広げたり（図３ｂ）、または、一方の層２１１が他方の層２１２を覆うように相互に変位することができる（図３ｃ）。
【００２７】
図４に示す第３実施形態では、分離個所２４は、支持フィルム２１に配置されたミシン目２４３として構成されている。印刷機構１０を通過するとき、ミシン目２４３は横方向４０へ縮んだり、あるいはこの方向４０へ伸長する（図４ｂ）。つまり長さ補正は、ミシン目２４３が横方向や垂直方向４０，５０へ変形することによって行われる。
【００２８】
図５は、分離個所２４が刻み目のある領域２４４として構成された、エンドレスペーパー２０の第４実施形態を示している。印刷機構を通過する前、刻み目のある領域２４４は、間隔ｄをもつ実質的にＶ字型またはＵ字型の断面を表面に有している。エンドレスペーパー２０が印刷機構１０を通過すると、支持フィルム２１の隣接する領域２１１，２１２が相互に変位し、その結果、刻み目のある領域２４４の間隔ｄは横方向４０に広がったり、狭まったりする（図５ｂ）。
【００２９】
要約すると、上述したように構成された分離個所を備える粘着性のある印刷可能なエンドレスペーパーは、従来公知となっている解決法とは正反対に、適当な任意のプリンタで使用することができ、これに伴って生じる従来技術のエンドレスペーパーの欠点に目をつぶらなくてもすむと言うことができる。
【００３０】
以上の説明では、本発明の原理とその実際の適用をできるだけうまく説明するように本発明について述べたが、当然ながら、適当な改変を加えれば、本発明を上記以外の多様な実施形態で具体化することができる。
【図面の簡単な説明】
【図１】本発明による印刷材料がプリンタの印刷機構を通過する様子を示す模式的な横断面図である。
【図２】本発明による印刷材料の一部を第１実施例で示す図である。
【図３】本発明による印刷材料の一部を第２実施例で示す図である。
【図４】本発明による印刷材料の一部を第３実施例で示す図である。
【図５】本発明による印刷材料の一部を第４実施例で示す図である。
【図６】従来技術に基づくエンドレスペーパーが挿入されたプリンタの印刷機構を示す模式的な横断面図である。
【符号の説明】
１０  印刷機構
１１  ガイドフレーム
１２  方向転換ロール
１３，１４  押えロール
１５  印刷ヘッド
２０  エンドレスペーパー、印刷材料
２１  支持フィルム、支持層
２１１，２１２  支持フィルムの隣接する領域
２２  印刷用紙、印刷可能な層
２３  粘着性のある面
２４  分離個所
２４１  支持フィルムの打ち抜かれた領域
２４２  支持フィルムの裁断された領域
２４３  支持フィルムのミシン目が施された領域
２４４  支持フィルムの刻み目のある領域
２５  印刷されるべき面
２６  載置面
２７  粘着性素材
３０  送り方向
４０  横方向
５０  垂直方向
ｄ  間隔
ｄｖｏｒ，ｄｎａｃｈ  分離個所の間隔
ｘ  ２つの分離個所の相互間隔
【国際公開パンフレット】
2004517369.tif 000003
2004517369.tif 000004
2004517369.tif 000005
2004517369.tif 000006
2004517369.tif 000007
2004517369.tif 000008
2004517369.tif 000009
2004517369.tif 000010
2004517369.tif 000011
2004517369.tif 000012
2004517369.tif 000013
2004517369.tif 000014
2004517369.tif 000015
2004517369.tif 000016
2004517369.tif 000017
2004517369.tif 000018
2004517369.tif 000019
2004517369.tif 000020
【手続補正書】
【提出日】平成15年4月4日(2003.4.4)
【手続補正１】
【補正対象書類名】明細書
【補正対象項目名】特許請求の範囲
【補正方法】変更
【補正の内容】
【特許請求の範囲】
【請求項１】
支持層（２１）と、片側で粘着性のある印刷可能な少なくとも１つの層（２２）とを備え、後者の層は、粘着性のある面（２３）が付着するように支持層（２１）の載置面（２６）に載り、載置面（２６）から再び剥離可能であり、少なくとも１つの印刷可能な面（２５）を有しており、支持層（２１）には少なくとも１つの分離個所（２４）が設けられている、多層の印刷材料（２０）の利用法において、
この印刷材料を方向転換し、送り、押しつける印刷機構（１０）を備えるプリンタで用いる利用法。
【請求項２】
分離個所（２４）が規則的な相互間隔（ｘ）で支持層（２１）に配置されていることを特徴とする、請求項１に記載の印刷材料。
【請求項３】
分離個所（２４）が少なくとも部分的に、刻み目のある領域（２４４）および／または切り離された領域（２４２）および／または打ち抜かれた領域（２４１）および／またはミシン目のある領域（２４３）として支持層（２１）に構成されていることを特徴とする、前記請求項のうちいずれか１項に記載の印刷材料。
【請求項４】
少なくとも１つの別の分離個所が印刷可能な層（２２）に設けられていることを特徴とする、前記請求項のうちいずれか１項に記載の印刷材料。
【請求項５】
印刷可能な層（２２）が片側で接着するように構成されていることを特徴とする、前記請求項のうちいずれか１項に記載の印刷材料。
【請求項６】
印刷可能な層（２２）の粘着性のある面（２３）が粘着性素材（２７）で部分的に被覆されていることを特徴とする、前記請求項のうちいずれか１項に記載の印刷材料。
【請求項７】
支持層（２１）に塗布された粘着性素材（２７）が、支持層（２１）から、および／または印刷可能な層（２２）で接着されるべき貨物から、残留物なしに剥離可能であるように構成されていることを特徴とする、請求項６に記載の印刷材料。
【請求項８】
印刷材料（２０）がエンドレス材料として、特にエンドレスペーパーとして構成されていることを特徴とする、前記請求項のうちいずれか１項に記載の印刷材料。
【請求項９】
印刷可能な層（２２）として感熱フィルムが設けられていることを特徴とする、前記請求項のうちいずれか１項に記載の印刷材料。
【請求項１０】
支持層（２１）として紙および／または板紙および／またはその他の感熱フィルムが設けられていることを特徴とする、前記請求項のうちいずれか１項に記載の印刷材料。
【国際調査報告】
2004517369.tif 000021
2004517369.tif 000022
2004517369.tif 000023
2004517369.tif 000024